(57)【要約】【課題】  建物の床に部分的なガラス床を簡単に組み込むことができ、そのガラス板の交換が極めて簡単であるガラス床ユニットの提供。【解決手段】四個の支分支持枠２を四辺形に接続して構成した支持枠３と、支分支持枠２の台座部上に配する緩衝帯材と、四辺を緩衝帯材を介して台座部上に載置した床ガラス１と、床ガラス１の相互に平行な二辺の下部から突出する固定片７と、支分支持枠２の連続接続空間にスライド自在に配し、そのスリット部中に進入させて固定片７の上昇を抑える固定部材８と、床ガラス１の四辺と支分支持枠の直立支持部の上部内面との間に挿入する弾性目地材とで構成する。【選択図】  図１
2005299306.tif 000002
【特許請求の範囲】
【請求項１】
合わせガラスに構成した床ガラスと、
床構造の一部に固設する固設手段を備えた複数の支分支持枠を平面から見て閉じた状態に接続してなる支持枠であって、該支分支持枠の各々に前記床ガラスの対応する縁部の下面を支持する台座部及び該床ガラスの対応する縁部の端面を支持する直立支持部を構成し、かつ複数の支分支持枠を相互の端部間で弾力的に接続する接続部材及び該床ガラスの下面から突出する固定片をそのスリット部中で支持する固定部材を挿入する連続接続空間を備えた支持枠と、
前記台座部と床ガラスとの間に介在させて緩衝作用を持たせる緩衝帯材と、
前記直立支持部と床ガラスの縁部の端面との間に介在させる弾性目地材と、
両側を各々隣接する支分支持枠の連続接続空間に装入して該支分支持枠相互を結合する接続部材と、
前記連続接続空間にスライド自在に装入して前記固定片をそのスリット部中で支持する固定部材と、
床ガラスの下面から延長し、前記固定部材のスリット部中に挿入して該床ガラスの浮上を防止する固定片と、
で構成したガラス床ユニット。
【請求項２】
床ガラスを、各々その相互に反対側の位置関係となる二つの縁部の少なくとも各一部が前記支分支持枠の台座部で支持される複数枚の支分床ガラスを接続して構成し、隣接する支分床ガラス間の目地中には弾性目地材を挿入介在させた請求項１のガラスユニット。
【請求項３】
前記固定部材のスリット部を、前記固定片の上昇動作を阻止し、下降動作は許容するように、上側に余裕なく、かつ下方に余裕を持った幅に構成した請求項１、２又は３のガラス床ユニット。
【発明の詳細な説明】
【技術分野】
【０００１】
本発明は各種の建築物の床に組み込むことができるガラス床ユニットに関するものである。
【背景技術】
【０００２】
ガラス床には、ガラスブロックを用いて構成するそれと、板ガラスを用いて構成するそれとがあるが、いずれも満足すべきものではない。
【０００３】
前者のガラスブロックを用いたガラス床としては、複数の横方向部材とセグメント部材とを縦横に配し、かつそれらの四辺を外周部材で囲んで、平面から見て格子状の枠体を構成し、各格子中に各々弾性ブーツを外装したガラスブロックを嵌め込む構造のそれが提案されている（特許文献１）。
【０００４】
前記各ガラスブロックと弾性ブーツとは、前者の各辺の側端に形成した溝に後者の内周に突出する突条が嵌合することで、相互の結合状態が確保され、該弾性ブーツの外周に突出する突状が格子を構成する横方向部材及びセグメント部材の内周に形成した溝に嵌合して、同様に、該弾性ブーツと該横方向部材及びセグメント部材との結合状態が確保されるようになっている。また該横方向部材とセグメント部材の上部途中から内側に突出状態に形成される肩部の上に該弾性ブーツの最下端の内側に折れ曲がった部分が載ることにより、ガラスブロックにかかる荷重が該弾性ブーツを介して横方向部材等の格子部材に伝わり、これによって支持されるようになっている。
【０００５】
また以上の格子部材は建造物の躯体構造に既存の技術で結合し、これによって支持されるようにする。
【０００６】
このような特許文献１のガラス床は、床面を構成するガラスとしてガラスブロックを用いるものであるため、格子部材により小さな格子を構成して嵌め込むものとせざるを得ず、格子の目立つ重さを感じるデザインとなり易く、デザイン的に自由度がない。またガラスブロックはサイズ的に小さい割に重量があり、更に格子が小さなものとなるため、実際に全体として重量が大きくなり、その設置作業は相当な重筋作業となる。
【０００７】
またこの構成では、万が一ガラスブロックが割れた場合には、下方が閉じられていなければ、その下層階にガラスの破片が落下する虞があり、極めて危険である。このようにガラスが割れた場合又はヒビが入った場合等にガラスブロックの交換の必要が生じる筈であるが、その交換は容易とは言い難い。弾性ブーツの突条と格子部材の内周の溝との嵌合を下方からガラスブロックを押し上げる等により外すしかなさそうであるが、なかなか容易とは思えない。強く押し上げれば結局ガラスブロックに損傷を生じさせる可能性もある。いずれにしても上方からの取り外しは、叩き割る以外では、殆ど無理のように思われる。
【特許文献１】特許第２８４０６９３号公報
【０００８】
他方、板ガラスを用いたガラス床にも優れた提案はなく、現時点ではまだあまり普及しているとも云えない。現在若干行われている施工事例は、その場の建設条件に合わせて個別に設計され、既存の種々の汎用の建設材料を加工して構成されているものであり、高価で施工性も悪く、仕上がりも必ずしもスマートなものとは云えないものである。
【０００９】
このようなガラス床の施工例の一つにＨ型鋼を使用した例があるが、その概要は次のようなものである。
【００１０】
この例は、縦横に敷設される床用のガラス板の辺部を目地に沿ってその下方に配したＨ型鋼の上面で支持した例である。このような床用のガラス板は床の領域に縦横に配され、隣接するガラス板間の目地は全体として見ると格子状になる。前記Ｈ型鋼は、Ｈの文字を横に倒した状態で、該ガラス板の敷設計画に従ってその格子状の目地となる位置の下方に該目地に沿って予め配置し、その上面には合成ゴム等による緩衝板を配置しておく。その後に、ガラス板をその敷設計画に沿って敷設する。このとき、各ガラス板は、それぞれその辺部が、前記緩衝板を介して前記Ｈ型鋼の上面片側上に載った状態で支持される。
【００１１】
なお前記Ｈ型鋼は建物の躯体構造に何らかの手段を介して固定される。また隣接するガラス板の辺部間、即ち、目地には目地材を充填する。
【００１２】
この例は、先に述べたように、一つのガラス床の施工事例であるが、この例の場合は、Ｈ型鋼のような重量物を扱うので、軽作業とは云えず、また予め必要な寸法等に切断その他の加工を施して現場に運び込む必要があり、コストが嵩み、全体としてなかなか厄介な作業であると言わざるを得ない。その結果、ガラス床全体のコストが嵩みがちとなっている。
【００１３】
更にガラス床として透明なガラス板を用いる場合には、緩衝材やＨ型鋼が透けて見えることとなり、意匠性や装飾性の点でも優れたものとは言い難い。また施工後にはガラス板の取り替えが困難であり、ガラス板は、前記のように、Ｈ型鋼の上面上に緩衝材を介して載置されているだけであるため、地震その他に起因してＨ型鋼から浮いてしまうような虞もなきにしもあらずである。
【００１４】
特にＨ型鋼を用いた一例について述べたが、既に述べたように、若干行われている施工事例は、いずれもその場の建設条件に合わせて個別に設計され、既存の種々の汎用の建設材料を加工して行われるものであるため、以上のＨ型鋼を用いた例と大同小異であって、いずれにしても施工性が悪く、仕上がりも必ずしもスマートなものではなく、それにも拘わらず、高価になっているのが実情である。
【発明の開示】
【発明が解決しようとする課題】
【００１５】
本発明は、以上のような従来技術のガラス床の問題点を解決し、これをユニット化し、施工が簡単で、確実にガラス板を固定することができる一方、ガラス板の交換が極めて簡単に行い得られるガラス床ユニットを提供することを解決の課題とする。
【課題を解決するための手段】
【００１６】
本発明の１は、合わせガラスに構成した床ガラスと、
床構造の一部に固設する固設手段を備えた複数の支分支持枠を平面から見て閉じた状態に接続してなる支持枠であって、該支分支持枠の各々に前記床ガラスの対応する縁部の下面を支持する台座部及び該床ガラスの対応する縁部の端面を支持する直立支持部を構成し、かつ複数の支分支持枠を相互の端部間で弾力的に接続する接続部材及び該床ガラスの下面から突出する固定片をそのスリット部中で支持する固定部材を挿入する連続接続空間を備えた支持枠と、
前記台座部と床ガラスとの間に介在させて緩衝作用を持たせる緩衝帯材と、
前記直立支持部と床ガラスの縁部の端面との間に介在させる弾性目地材と、
両側を各々隣接する支分支持枠の連続接続空間に装入して該支分支持枠相互を結合する接続部材と、
前記連続接続空間にスライド自在に装入して前記固定片をそのスリット部中で支持する固定部材と、
床ガラスの下面から延長し、前記固定部材のスリット部中に挿入して該床ガラスの浮上を防止する固定片と、
で構成したガラス床ユニットである。
【００１７】
本発明の２は、本発明の１のガラス床ユニットに於いて、床ガラスを、各々その相互に反対側の位置関係となる二つの縁部の少なくとも各一部が前記支分支持枠の台座部で支持される複数枚の支分床ガラスを接続して構成し、隣接する支分床ガラス間の目地中には弾性目地材を挿入介在させたものである。
【００１８】
本発明の３は、本発明の１又は２のガラス床ユニットに於いて、前記固定部材のスリット部を、前記固定片の上昇動作を阻止し、下降動作は許容するように、上側に余裕なく、かつ下方に余裕を持った幅に構成したものである。
【発明の効果】
【００１９】
本発明の１のガラス床ユニットによれば、建物の床の一部にガラス床を簡単に構成することができる。このガラス床ユニットはその支持枠の各支分支持枠に構成した固設手段により床構造の一部に容易に取り付けることができ、これによって、上記のように、極めて簡単に床の一部にガラス床を構成することができる。特に上層階の床の一部にこれを採用するのが適当であり、これによって上層階の光を下層階に透過させ、或いは逆に下層階の光を上層階に透過させ、全体として光に溢れた明るい室内を構成するのに資することができる。多くの場合は下層階の廊下や室内が暗くなりがちであるが、こうして下層階にも明かりを容易に取り入れることができることとなる。またこれを上層階の床の一部に採用した場合に、その直下の空間に照明器具を配置し、上層階及び下層階を同時に照明することとすることも可能となる。
【００２０】
また本発明のガラス床ユニットによれば、このユニット中の床ガラスの着脱が容易であり、床ガラスにヒビが入る等の何らかの損傷が生じた場合等にその交換が容易にできる。またこのガラス床ユニットの直下に照明手段を配した場合等にも該床ガラスを取り外してその照明手段の交換等を容易に行うことができる。
【００２１】
本発明の２のガラス床ユニットによれば、複数枚の支分床ガラスを接続することで、建物の床の一部に所望の長さの直線状の長いガラス床や平面から見て十字形のガラス床を構成することも可能となる。或いは波形その他の種々の曲線の繰り返しによる長いガラス床なども可能となる。
【００２２】
本発明の３のガラス床ユニットによれば、床ガラスにその上に人が乗る等によって荷重がかかった場合にも、固定片はスリット部の下部内面に当接することはなく、それ故、床ガラスとの結合部に無用の負荷がかからないため、その結合部の寿命を長く保持することができる。
【発明を実施するための最良の形態】
【００２３】
本発明は、床ガラスと、複数の支分支持枠を接続して構成した、平面から見て閉じた形状の支持枠と、緩衝帯材と、弾性目地材と、隣接する支分支持枠相互を所定角度で結合する接続部材と、後記固定片をそのスリット部中で支持する固定部材と、床ガラスの下面から延長した固定片とで構成したガラス床ユニットである。
【００２４】
前記床ガラスは、合わせガラスで構成した正方形、長方形、台形、三角形、六角形又はその他の種々の形状のそれを想定している。その他の種々の形状には雲形のような曲線を持った形状も含む。上記合わせガラスは、二枚のガラス板を、例えば、接着性を備えた中間合わせ膜で貼り合わせて構成したものであり、その厚さや材質等は、床として要求される種々の条件、例えば、これにかかると想定される最大荷重等を考慮して決定する。
【００２５】
このような合わせガラスを採用したのは、万一、その上面側に位置するガラス板が破損を生じるようなことがあっても、これと中間合わせ膜を介して結合している下面側のガラス板にその各破片が結合した状態を維持することにより、容易にこれらを飛散させず、かつ下面側のガラス板によってバックアップされ、床が抜けるような事態を避け得るようにするためである。
【００２６】
前記床ガラスは、各々その相互に反対側の位置関係となる二つの縁部の少なくとも一部が前記支分支持枠の台座部で支持される複数枚の支分床ガラスを接続して構成するものとすることができる。該支分床ガラスに於ける相互に反対側の位置関係となる二つの縁部とは、典型的には、長方形又は正方形を含む平行四辺形の支分床ガラスに於ける相互に平行な関係となっている二辺であり、図１１(a)に示すように、四辺形の支分床ガラス２１、２１…を直列に接続して構成した床ガラス１がその第１例として提示できる。この床ガラス１では、いずれの支分床ガラス２１に於いても少なくとも平行な２辺が支持枠３を構成する各支分支持枠２の台座部２ｂで支持される関係となっている。
【００２７】
図１１(b)に示すように、四辺形の支分床ガラス２１、２１…を直列に接続し、一端部の支分床ガラス２１の側方に他の支分床ガラス２１を接続して構成した床ガラス１はその第２例として提示できる。この例では、同図中、左側下端の支分床ガラス２１以外は第１例の支分床ガラス２１と同様である。該左側下端の支分床ガラス２１は、右上の隅部が台座部２ｂに僅かしか載っていないが、左辺及びこれに平行な右辺の僅かの部分及び下辺及びこれに平行な上辺の僅かの部分がそれぞれ台座部２ｂに載置状態にあるということができる。
【００２８】
図１２に示すように、直列に接続した支分床ガラス２１、２１…列の途中両側に、全体として十字状になるように、同様に直列に接続した二つの支分床ガラス２１、２１列を各々接続して構成した床ガラス１はその第３例として提示できる。これは、同図中、縦向きの支分床ガラス２１、２１…列の中央の支分床ガラス２１が他の支分床ガラス２１と比較して縦方向に２倍の長さを有し、縦向きの平行な二辺の内、その上部及び下部のみが支分支持枠２の台座部２ｂ、２ｂに載置状態となっている。他の支分床ガラス２１は、第１例と同様である。
【００２９】
前記支分床ガラスに於ける相互に反対側の位置関係となる二つの縁部とは、他に、相互に平行な関係にあるとは云えない二つの辺が、その一方の辺の一端と他方の辺の一端、一方の辺の他端と他方の辺の他端との間にそれぞれ他の辺を介在させた関係にある場合、これらの二つの辺もその概念に含まれるものとする。その具体例の一つとして、図１３に示すように、中央に向かって膨らむように両側から台形の支分床ガラス３１、３１…を接続しつつ配列して構成した床ガラス１を提示することができる。この例の場合は、両端の支分床ガラス３１、３１は、両側の２辺を含む３辺が支分支持枠２の台座部２ｂに載置状態となり、内側の二つの支分床ガラス３１、３１は両側の２辺のみが支分支持枠２の台座部２ｂに載置状態になっている。
【００３０】
以上のそれぞれに於いて、床ガラス１の外形に対応させて、複数の直線状の支分支持枠２、２…が配列され、かつ結合されて、対応する平面形状の支持枠３が構成されているのは云うまでもない。また支分支持枠の直立支持部と床ガラスの縁部の端面との間に挿入介在される弾性目地材と同様の弾性目地材が隣接する支分床ガラス間の目地中にも挿入されるものとする。なお、必要に応じて、上記弾性目地材に加えて、両側の支分床ガラスの縁部（辺）をその下方で支持する中間支持枠を配することとすることもできる。
【００３１】
また相互に平行な関係にあるとは云えない二つの辺が、その一方の辺の一端と他方の辺の一端、一方の辺の他端と他方の辺の他端との間にそれぞれ他の辺を介在させた関係にある場合としては、以上の直線状の辺の他に、それぞれの辺が曲線状の場合も含むものとする。その具体例の一つとして、第１４図に示すように、両側が曲線状である３枚の支分床ガラス４１、４１、４１を直列に接続して床ガラス１を構成した例を提示することができる。この床ガラス１では、両端の支分床ガラス４１、４１は両側の辺を含む３辺が該当する部位の支分支持枠２、２２の台座部２ｂ、２２ｂに載置状態になり、中央の支分床ガラス４１は両側の辺のみが支分支持枠２２の台座部２２ｂに載置状態となる。
【００３２】
この場合は、床ガラス１の外形に対応させて、両側の曲線状の支分支持枠２２、２２と両端の直線状の支分支持枠２とが配列され、かつ結合されて、対応する平面形状の支持枠２３が構成されているのは云うまでもない。またこの場合も、支分支持枠の直立支持部と床ガラスの縁部の端面との間に介在される弾性目地材と同様の弾性目地材が隣接する支分床ガラス４１、４１間の目地中にも挿入されるものとする。なおこの場合も、必要に応じて、上記弾性目地材に加えて、両側の支分床ガラスの縁部（辺）を下方で支持する中間支持枠を配することとすることもできる。
【００３３】
この明細書及び特許請求の範囲では、相互に反対側の位置関係となる二つの縁部の概念に、これら以外に、適用可能な相互の位置関係となっている全ての縁部相互をも含むものとする。
【００３４】
前記支持枠は、床ガラスの説明に関連して若干説明したが、直線状又は曲線状の支分支持枠を接続して床ガラスの外形に対応する平面形状に構成するものである。各支分支持枠はその長さ及びその長さ方向に曲線状であるか直線状であるかを除き、全て同一の構成の長尺部材である。即ち、全て同一の構成要素を持った長尺部材である。
【００３５】
各支分支持枠は、床構造の一部に固設する固設手段、前記床ガラスの対応する辺を含む縁部の下面を支持する台座部、該縁部の端面を支持する直立支持部及び接続部材と固定部材とを挿入する連続接続空間を備えたアルミニウム製の部材である。これらのいずれの構成要素も支分支持枠の全長さ方向に沿って構成するものである。
【００３６】
前記固設手段は、床構造の一部、例えば、根太の側面にその外面側が当接し、材質に応じて木ビス又はボルト等によってそれに固定するための縦固設板部と、該根太の上面にその下面側が当接し、材質に応じて木ビス又はボルト等によってそれに固定するための横固設板部とで構成することができる。このように構成した場合は、該固設手段は側面から見て縦固設板部の上部から横固設板部が直角方向に延びたほぼ逆Ｌ形の構成部材となる。なお該固設手段としては、これ以外に、木造、ＲＣ造、鉄骨造等の建築工法に応じて、その目的を達成し得る種々の構成を採用し得るのは云うまでもない。
【００３７】
前記台座部は前記固設手段の上方、例えば、縦固設板部の直上付近に立ち上げた構成要素とする。その座面は基本的に設置時に水平になるように構成し、その幅は前記床ガラスの対応する辺を含む縁部を不都合なく載置し得る寸法とする。前記のように構成した場合は、前記縦固設板部の厚みを越える幅分は、前記横固設板部側に広げた構成とする。また該台座部の座面には前記緩衝帯材をその上に結合するための結合手段を構成しておくのが適当である。この結合手段としては、例えば、断面円形の結合溝を採用し、この結合溝を座面の中央付近にその長さ方向に沿って形成しておくことができる。
【００３８】
前記連続接続空間は、前記台座部の外方に構成する。前記固設手段を、前記のように構成した場合は、その横固設板部の上方に構成する。この場合を例にとって説明すると、該連続接続空間は、該横固設板部の上面の一部と、前記台座部の内側面と、該横固設板部の上面の内外方向途中から該台座部より所定高さ分だけ高く立ち上げた外側板と、該外側板から台座部側に向かって途中まで９０度の角度で張り出した天板部とで囲まれた空間として構成する。従って、該連続接続空間は、該台座部寄りの位置で、かつこれより高い位置で、上方及び該台座部側に開いた空間に構成したものとなる。
【００３９】
前記直立支持部は、該連続接続空間の上部に構成すべきものであるが、前記固設手段及び該連続接続空間を上記のように構成した場合は、該直立支持部は、前記天板部の該台座部側端部から、その上部内面が台座部に載置した床ガラスの縁部の端面と対面し得るように立ち上げる。該上部内面には、床ガラスの縁部の端面との間に挿入される弾性目地材が、所定の装入状態より下降するのを防止するために、その装入限界位置に規制突条を突出させておくのが適当であり、それより上部には横向きの細かな多数の溝を連設して、装入される弾性目地材とのより確実な結合を図り得るようにしておくのが好ましい。
【００４０】
前記緩衝帯材は、前記台座部上に配して、この上にその縁部を載置する床ガラスとの間に介在状態となるものであり、床ガラスに人の歩行その他によって加わった衝撃を緩和し、かつ衝撃音の下層階側への伝達を減衰させるべく作用するものである。従って該緩衝帯材は、弾力性を持った合成ゴムその他の弾性材によって帯状に構成し、必要に応じて、その上面には長さ方向に沿った複数の支持突条を立ち上げておくものとする。該緩衝帯材は、また該台座部上に何らかの手段で結合する。例えば、前記のように、該台座部に断面円形の結合溝を構成した場合には、該緩衝帯材の下面に該結合溝に結合可能な断面円形の結合突条を形成しておき、該結合溝に該結合突条を嵌合させて、該台座部に該緩衝帯材を固定できるようにする。
【００４１】
前記弾性目地材は、前記直立支持部の上部内面と前記台座部に載置した床ガラスの縁部の端面との間に介在させる弾力性を持った目地材であり、設置される床ガラスの若干の水平方向の動きを許容しつつ該部位を埋める弾力性を備えた合成ゴムその他の部材で構成することができる。該弾性目地材は、例えば、前記のように、該直立支持部の上部内面に横向きの多数の溝が形成してある場合には、対応する側の面に対応する突条を構成しておき、床ガラスの縁部の端面と該直立支持部との間に装入した場合に、該溝に突条が嵌合することでその装入状態を固定できるように構成するのが適当である。
【００４２】
また該弾性目地材の内面側、即ち、床ガラスの縁部の端面に当接する側には、該端面に密接し得るように、その長さ方向に沿って複数の鍔片等を突出させておくのが好ましい。もっともこの場合、その内面側の最上部の部位は、該弾性目地材を床ガラスの縁部の端面と前記直立支持部の間に装入した場合に、あまり変形せず該隙間を良好に閉じることができるように、その寸法形状を整えておくのが適当である。こうして該弾性目地材は、これを床ガラスの縁部の端面と前記直立支持部との間に密に充填して目地を構成することができると共に、必要に応じてこれをその間から取り外すことも可能なものとなる。
【００４３】
前記接続部材は、支分支持枠の結合部位の形状に合わせて、Ｌ字形、Ｖ字形又は「く」字形等に構成する部材で、その屈曲部両側の嵌合部を前記支分支持枠の連続接続空間に密に装入し得る外形寸法に形成してあり、各嵌合部を相互の端部で所要角度に隣接させた支分支持枠の連続接続空間の端部付近に装入することで両支分支持枠を該角度に結合する構成要素である。なお該連続接続空間への密な装入は、各嵌合部の上下左右の各側面を該連続接続空間の内面に全体として密に接合するものとするのではなく、例えば、その上面及び左右側面の内の一方の側面に長さ方向に沿って比較的丸みを帯びた突条を形成するものとし、該上面及び左右側面の内の該当する面では該突条が該連続接続空間を区画する内面の内の上面及び対応する内側面に当接するものとするのが、該空間への出し入れを容易にする観点から好都合である。
【００４４】
また該接続部材は、その各嵌合部の外形寸法を前記のように定めるのが適当であるが、更に各下面に、該下面側に開く溝をその長さ方向に沿って形成しておくべきである。従って該接続部材は、各嵌合部の端面側から見ると概ね逆Ｕ字形となる。この接続部材を、前記のように、隣接する二つの支分支持枠にセットした上で、該溝の幅より僅かに径の大きなビスを前記固設手段の下方から該溝中にねじ込めば、該接続部材の嵌合部の各連続接続空間中への装入状態は固定状態となり、該二つの支分支持枠の所要角度での結合状態が固定されることになる。
【００４５】
なお該接続部材は、その役割から硬質の樹脂で構成するのが適当である。
【００４６】
前記固定部材は、前記床ガラスの下面から延長した固定片をそのスリット部中で支持する構成要素であり、その役割を果たすべく、支持枠を構成する相互に反対側に位置する支分支持枠の連続接続空間中に装入して使用するものである。「反対側」の意味は支分床ガラスに関して述べたのと全く同じ意味であり、この場合の典型的な例は平行な二つの支分支持枠である。
【００４７】
該固定部材は、基部とその上部のスリット部とで構成した部材であり、該支分支持枠の連続接続空間中に該スリット部が台座部側に開口した状態でスライド移動自在に装入し得る外形寸法に形成する。この状態で、台座部上に緩衝帯材を介して載置した床ガラスから延長した固定片が該スリット部の上部内面に接するか近接状態になる程度にその高さを設定する。また該スリット部の下部内面は、該床ガラスに人の歩行その他により荷重がかかりこれが最大限度まで下降した場合でも該固定片がこれに接することがない程度に下方に位置するように、該スリット部の隙間寸法を設定する。該固定片に、無用に床ガラスとの固定状態に損傷を加えるような負荷を掛けないようにする趣旨である。
【００４８】
なお上記スリット部の上部内面には、例えば、下方に突出する固定突条を構成し、他方、床ガラスの下面から延長する固定片の先端にも該固定突条が嵌入し得る程度の切欠部を形成し、該固定突条を、該スリット部に装入状態となった固定片の切欠部に嵌入させることにより、該固定部材自体の連続接続空間中での無用のスライド移動を阻止するように構成するのが好ましい。これにより、該固定片を確実にスリット部内に位置させることが可能となり、これを通じて床ガラスの浮上を確実に防止することができることとなる。
【００４９】
該固定部材の基部は、端面から見て四辺形のブロック状部材でも不都合ではないが、端面から見て断面逆Ｕ字形に形成するのが素材の無駄を省く意味で好都合である。なおこの固定部材は、その機能上から硬質の樹脂で構成するのが適当である。
【００５０】
前記固定片は、前記床ガラスの相互に反対側の縁部に１以上、好ましくは２以上固設する。その典型的な例は、相互に平行な二つの辺（縁部）に各々２以上固設する例である。該固定片は、ステンレススチール等の金属板材で概ね四辺形のプレート状に構成し、その一端側を床ガラスの対応する縁部の下面に接着剤等により固設し、他端側が外方に延長状態になるようにする。床ガラスの一つの縁部に二個を固設する場合は、該縁部に相互間に適切な間隔をあけて配するようにする。なお床ガラスが複数の支分床ガラスで構成されている場合は、各支分床ガラス毎に以上の固定片を以上の説明通りに取り付ける必要がある。
【００５１】
なお、前記緩衝帯材には、その上面に、該床ガラスの縁部の固定片をその取付部位に対応させて、その厚み分の削除部を構成しておき、前記台座部に該床ガラスを載置する場合に該固定片がその削除部に埋まって床ガラスの縁部の他の部位が良好に該緩衝帯材の上面に当接し得るようにしておくのが適当である。
【００５２】
前記固定片の先端には、既に述べたように、前記サイズの切欠部を形成しておき、前記スリット部の上部内面に形成した固定突条と嵌合し得るようにしておくのが好ましい。
【００５３】
従って本発明のガラス床ユニットによれば、建物の床の一部に簡単にこれを組み込み、部分的なガラス床を構成することができる。
【００５４】
本発明のガラス床ユニットは、それ自体の組立も簡単である。その支持枠は、複数の支分支持枠を床ガラスの形状に合わせて結合して簡単に構成することができる。相互の結合は、前記したように、接続部材の各嵌合部を各隣接する支分支持枠の連続接続空間に装入し、ビス等によりその装入状態を固定することにより簡単に保持することができる。また支持枠を構成する各支分支持枠には、予め台座部上に緩衝帯材を配しておき、対応する相互に反対側の支分支持枠の連続接続空間中には、必要数の固定部材をスライド自在に装入しておくものとする。
【００５５】
支持枠をこのように構成した後、床ガラスを該支持枠中に設置する。該床ガラスはその各縁部を各々対応する台座部上に前記緩衝帯材を介して載置することで該支持枠中に設置する。該床ガラスの対応する縁部には、予め、前記のように固定片を取り付けておくものとし、かつ以上のように、その各縁部を台座部上に載置する際に相互に干渉し合わないように、予め前記固定部材をスライドさせて該固定片の設置位置からずらしておくものとする。該固定部材は、床ガラスの縁部を緩衝帯材を介して正しく台座部上に載置した後に、所定の位置にスライド移動させ、そのスリット部に床ガラスから突出する固定片を進入させ、該床ガラスを浮上しないように固定する。この後、弾性目地材を床ガラスの各縁部の端面と対応する支持枠の直立支持部の上部内面との間に装入介在させ、ガラス床ユニットを完成させる。
【００５６】
このように構成した本発明のガラス床ユニットは建物の床構造を構成する根太等に極めて容易に取り付けることができる。床構造中に支持枠の寸法形状に対応させて根太を配して置き、固設手段を利用して各支分支持枠を該根太に取り付ける。具体的には、先に述べたように、各支分支持枠の固設手段の構成に従い、縦固設板部を該根太の側面に当接させ、かつ横固設板部を該根太の上面に当接させた上で、ビス又はボルト等によってその当接状態を固定し、支持枠の各部を根太に固定する。こうしてガラス床は完成する。
【００５７】
本発明のガラス床ユニットは、以上のように、建物の床の一部に簡単に部分的なガラス床を構成することができるが、このように構成したガラス床は、特に上層階の床の一部にこれを採用すると、これによって上層階の光を下層階に透過させ、或いは逆に下層階の光を上層階に透過させて、全体として光に溢れた明るい室内を構成することができることになる。こうして、特に下層階の暗くなりがちな廊下や室内に明かりを容易に取り入れることができることとなる。またこれを上層階の床の一部に採用した場合に、その直下の空間に照明器具を配置し、上層階及び下層階を同時に照明することも可能となる。
【００５８】
本発明のガラス床ユニットによれば、前記固定部材のスリット部の構成の内、下部内面を固定片の下降限界より下方に位置するように構成しておくことが可能であり、こうすることにより、床ガラスにその上に人が乗る等によって荷重がかかった場合にも、下降した固定片は該下部内面に当接することがなく、それ故、無用の負荷がかからず、その結合部の寿命を長く保持することができる。
【００５９】
また床ガラスは、前記固定片が前記固定部材のスリット部の上部内面に係止するため、上昇方向の動きは規制される。そのため床ガラスは電気掃除機で吸引する等の日常的に生じうる外力によって支持枠から外れて浮上するようなことはない。
【００６０】
また本発明のガラス床ユニットによれば、前記弾性目地材を取り除いた上で、前記固定部材をスライド移動させれば、前記固定片がそのスリット部から外れ、床ガラスを容易に取り外すことができる。前記固定片が前記連続接続空間の天板部の下方まで延びている場合には、該床ガラスの一方の縁部を対応する支持枠の縁部側に移動させて、他方の縁部の固定片を前記天板部の下方から抜け出させると共に、抜け出した側の縁部を持ち上げながら該一方の縁部の固定片を対応する側の天板部の下方から引き出すことにより、やはり同様に簡単に支持枠から床ガラスを取り外すことができる。
【００６１】
従ってこのガラス床ユニット中の床ガラスにヒビが入る等の何らかの損傷が生じた場合にその交換が極めて容易にできる。またこのガラス床ユニットの直下に照明手段を配した場合等にも該床ガラスを取り外してその照明手段の交換等を容易に行うことができる。
【００６２】
なお本発明のガラス床ユニットによれば、前記したように、複数枚の支分床ガラスを種々に接続することで、所望の長さ及び形状を持った床ガラスに構成し得、これを用いて対応する種々の長さ及び形状を持ったガラス床を簡単に構成することも可能となる。
【実施例１】
【００６３】
この実施例のガラス床ユニットは、図１〜図４に示すように、四辺形の床ガラス１と、四個の支分支持枠２、２…を四辺形に接続して構成した支持枠３と、ＥＰＴゴム製の緩衝帯材４、４…と、同様にＥＰＴゴム製の弾性目地材５、５…と、前記支分支持枠２、２…を各隣接する部位で直角状態に結合するナイロン樹脂製の接続部材６、６…と、後記固定片７、７…を各々そのスリット部８ｂ中で支持するナイロン樹脂製の固定部材８、８…と、前記床ガラス１の下面から延長した固定片７、７…とで構成したものである。
【００６４】
前記床ガラス１として、図１に示すように、この実施例では、平面から見て正方形に構成した合わせガラスを採用したものである。図２及び図４に示すように、該床ガラス１は、二枚のガラス板１ａ、１ａを中間合わせ膜１ｂで貼り合わせて構成したものである。この実施例では、ガラス板１ａ、１ａとして各々８mmと６mmの厚みの強化ガラスを採用し、かつ中間合わせ膜１ｂとして１．５mmの厚みで白色透光性のＰＶＢを採用し、前者のガラス板１ａ、１ａ間に後者の中間合わせ膜１ｂを介在させ、これによって貼り合わせて構成したものである。また該床ガラス１には、その四辺に沿ってこれが載置する後記台座部２ｂの幅で白色のセラミック印刷を施してある。これは上方から前記固定片７、７…を見えないようにする趣旨である。
【００６５】
前記支持枠３は、前記し、図１に示すように、四個の支分支持枠２、２…を接続して四辺形に構成したものである。各支分支持枠２は全て同一構成の長尺部材であり、この実施例では、支持枠３を平面から見て正方形に構成したものであるから、その長さは全部同一である。
【００６６】
各支分支持枠２は、図２、図４及び図５に示すように、床構造の一部である根太９に固設する固設手段２ａ、前記床ガラス１の対応する辺の下面を支持する台座部２ｂ、該辺の端面を前記弾性目地材５を介して支持する直立支持部２ｃ及び前記接続部材６と前記固定部材８とを挿入する連続接続空間２ｄを備えたアルミニウム製の部材である。特に図５に示すように、いずれの構成要素も該支分支持枠２の全長さ方向にわたって同一に構成するものである。
【００６７】
前記固設手段２ａは、図２、図４及び図５に示すように、根太９の側面にその裏面側が当接し、根太９の材質に応じて木ビス又はボルト等によってそれにねじ込み固定するための縦固設板部２ａ１と、該根太９の上面にその下面側が当接し、同様に該根太９の材質に応じて木ビス又はボルト等によってそれに固定するための横固設板部２ａ２とで構成したものであり、側面から見て縦固設板部２ａ１の上部から横固設板部２ａ２が直角方向に延びたほぼ逆Ｌ形の構成部材である。
【００６８】
なお該縦固設板部２ａ１及び横固設板部２ａ２には両端部近傍にそれぞれ結合孔が開口してあり、これを通じて木ビス等をねじ込むことができるようになっている。なおまた該縦固設板部２ａ１は、その裏面側に、端面から見てＬ形及び逆Ｌ形の突出部がそれぞれ構成してあり、これらによって補強されている。また該横固設板部２ａ２もその下面側に、端面から見てＴ字形及びＬ形の突出部がそれぞれ構成してあり、これらによって補強されている。
【００６９】
前記台座部２ｂは、図２、図４及び図５に示すように、前記固設手段２ａの縦固設板部２ａ１及び横固設板部２ａ２の該縦固設板部２ａ１寄りの部位から立ち上げた状態に構成する。その座面は設置時に水平になるように構成し、その幅は前記床ガラス１の対応する辺を不都合なく載置し得る寸法、即ち、この実施例では１２mmとした。該台座部２ｂの座面には前記緩衝帯材４をその上に結合固定するための結合溝２ｂ１を構成しておくものとする。この結合溝２ｂ１は、この実施例では、座面の中央にその長さ方向に沿って形成した断面円形の空間を座面側に開口して構成したものである。
【００７０】
前記連続接続空間２ｄは、図２、図４及び図５に示すように、前記固設手段２ａの横固設板部２ａ２の上部に構成する。該連続接続空間２ｄは、該横固設板部２ａ２の上面の一部と、前記台座部２ｂの内側面と、該横固設板部２ａ２の上面の内外方向途中から該台座部２ｂの座面より所定高さ分だけ高く立ち上げた外側板２ｄ１と、該外側板２ｄ１から台座部２ｂ側に向かって途中まで９０度の角度で張り出した天板部２ｄ２とで囲まれた空間として構成する。従って、該連続接続空間２ｄは、該台座部２ｂ寄りの位置で、かつその座面より高い位置で、上方及び該台座部２ｂ側に開いた空間に構成したものである。
【００７１】
前記直立支持部２ｃは、図２、図４及び図５に示すように、該天板部２ｄ２の前記台座部２ｂ側の端部から立ち上げて構成する。その高さは、その上部内面２ｃ１が該台座部２ｂ上に載置した床ガラス１の辺の端面と対面し得るだけのそれとする。該上部内面２ｃ１には、床ガラス１の辺の端面との間に挿入される弾性目地材５が、図２及び図４に示す所定の装入状態より下降するのを防止するために、その装入限界位置に規制突条２ｃ２を突出させておくものとする。また該規制突条２ｃ２より上部には、図５に示すように、横向きの細かな多数の溝２ｃ３、２ｃ３…を連設して、装入される弾性目地材５との結合を図るようにしておく。
【００７２】
前記緩衝帯材４は、図２、図４及び図７に示すように、ＥＰＴゴムによって帯状に形成した部材である。その上面には長さ方向に沿った複数の支持突条４ａ、４ａ…を立ち上げた状態に形成し、かつ下面には、その中央に沿って前記台座部２ｂの結合溝２ｂ１に結合し得る断面円形の結合突条４ｂを形成しておくものとする。なお、特に図３(b)及び図７に示すように、該緩衝帯材４の上面には、これを台座部２ｂ上にセットして床ガラス１の対応する辺をその上に載置した場合に、該床ガラス１に固設してある固定片７がその上に載ることとなる部位にその厚み分を削除した削除部４ｃを形成しておくものとする。この実施例では、該支持突条４ａ、４ａ…の高さと該固定片７の厚みとが同寸法であるため、該削除部４ｃは、必要な幅で該支持突条４ａ、４ａ…を削除することによって構成されている。
【００７３】
前記弾性目地材５は、図２、図４及び図１０に示すように、前記直立支持部２ｃの上部内面２ｃ１に対応する面に、その横向きの多数の溝２ｃ３、２ｃ３…に対応する多数の突条５ａ、５ａ…を形成し、床ガラス１の辺の端面に当接する側の面には、横向き（長さ方向）に張り出した３枚の鍔片５ｂ、５ｂ、５ｂを備えたものとする。該鍔片５ｂ、５ｂ、５ｂの内、最上部のそれは、端面から見てその基部が幅広の概ね三角形状であり、その張り出し長さは、該弾性目地材５を床ガラス１の辺の端面と前記直立支持部２ｃの上部内面２ｃ１の間に装入した場合に、殆ど変形せず該隙間を良好に閉じることができる程度に設定してある。またこれより下方の二枚の鍔片５ｂ、５ｂは、基部から先端までほぼ同一厚みで最上部のそれより僅かに長く張り出し、上記のようにセットした場合に、図２及び図４に示すように、先端が上方に折れ曲がる程度としてある。
【００７４】
なお該弾性目地材５は、その高さ方向の寸法を前記直立支持部２ｃの最上部から前記規制突条２ｃ２の直上までに一致するそれとする。この寸法は、図２及び図４に示すように、床ガラス１の端面の内、上方のガラス板１ａの端面に当接し得る寸法である。
【００７５】
前記接続部材６は、図６に示すように、平面から見て各直線嵌合部６ａ、６ａが直角に結合した状態のＬ形の部材である。該各直線嵌合部６ａは、図２及び図６(a)、(b)に示すように、その上面及び内側面にそれぞれ長さ方向に沿って丸みを帯びた突条６ａ１、６ａ２を形成し、この接続部材６の直線嵌合部６ａ、６ａを各々隣接する支分支持枠２、２の連続接続空間２ｄに装入すると、該突条６ａ１、６ａ２が該連続接続空間２ｄを区画する内面の内の上面及び内側の側面に当接することとなり、当該の面の全面で接するより、その出し入れがスムーズなものとなる。
【００７６】
また該接続部材６は、その直線嵌合部６ａ、６ａの各下面に下方に向かって開く溝を形成したものである。この溝は、云うまでもなく、その長さ方向に沿って形成したものである。従って該接続部材６は、図２及び図６(b)に示すように、各直線嵌合部６ａ、６ａの端面側から見ると概ね逆Ｕ字形となる。
【００７７】
前記固定部材８は、図１、図３(b)、(c)、図４及び図９(a)、(b)、(c)に示すように、前記床ガラス１の下面から延長した固定片７をそのスリット部８ｂ中で支持する構成要素であり、基部８ａとその上部のスリット部８ｂとで構成した部材である。外形的には、前記支分支持枠２の連続接続空間２ｄ中にスライド移動自在に装入し得る形状寸法とする。またこのように連続接続空間２ｄに装入された状態で、そのスリット部８ｂが前記台座部２ｂ側に開口した状態となるように寸法形状を設定する。
【００７８】
該固定部材８が該連続接続空間２ｄに装入された状態で、そのスリット部８ｂは、前記台座部２ｂ上に載置した床ガラス１から延長した固定片７がその中に進入してその上部内面に殆ど接する位置となるように、該上部内面の高さを設定する。また該スリット部８ｂの下部内面はその高さを、台座部２ｂに配された緩衝帯材４が床ガラス１にかかる負荷によって最大限度まで縮小した場合の上面より低くなるように設定する。
【００７９】
なお上記スリット部８ｂの上部内面には、図９(a)、(b)、(c)に示すように、下方に突出する固定突条８ｂ１を構成する。この固定突条８ｂ１は、前記固定部材８の長さ方向に直交する方向に延びるものとする。
【００８０】
また図９(c)に示すように、前記固定部材８の基部８ａは端面から見て断面逆Ｕ字形に形成し、かつ図９(a)、(b)、(c)に示すように、該基部８ａの両側部には上面に開口する受動孔８ａ１、８ａ１を形成したものとする。この受動孔８ａ１、８ａ１は、前記連続接続空間２ｄ中に装入した固定部材８をスライド移動させる際に、上方からその一方又は双方の受動孔８ａ１、８ａ１にスライド操作用の操作棒を差し込んで、該固定部材８をそのように動かすために使用するものである。
【００８１】
前記固定片７は、図１、図３(a)、(b)、(c)、図４及び図８に示すように、ステンレススチール製の四辺形のプレート部材であり、この実施例では、特に図１に示すように、前記床ガラス１の平行な二辺に２枚ずつ固設したものである。各固定片７、７は、各辺の両端から所定の距離の部位の下面に接着剤により固設し、他端側が外方に延長状態になるようにする。
【００８２】
なお、この実施例では、該固定片７の先端中央に切欠部７ａを形成し、前記固定部材８のスリット部８ｂの上部内面に形成した固定突条８ｂ１と嵌合し合うようにする。
【００８３】
以上の他に、ガラス床ユニットの支持枠３の組立状態の補強のために二種類の補強片を用意する。いずれも隣接する支分支持枠２、２の結合部である支持枠３の隅部に配するものである。支分支持枠２の縦固設板部２ａ１の裏面側には、既述のように、Ｌ形及び逆Ｌ形の突出部が構成され、図２、図４及び図５に示すように、その間にポケット２ａ１ｐが形成されている。前記補強片の一つは、図１に示すように、隣接する支分支持枠２、２の該ポケット２ａ１ｐに両側の連結片を挿入して補強を図るアルミニウム製Ｌ形の縦補強片１４である。また支分支持枠２の横固設板部２ａ２にも、既述のように、その下面側にＴ字形及びＬ形の突出部が突出形成され、図２、図４及び図５に示すように、その間にポケット２ａ２ｐが形成されている。前記補強片のもう一つは、図１に示すように、隣接する支分支持枠２、２の該ポケット２ａ２ｐに両側の連結片を挿入して補強を図るアルミニウム製Ｌ形の横補強片１５である。縦補強片１４及び横補強片１５の各連結片は、それぞれ挿入されたポケット２ａ１ｐ、２ａ２ｐを構成する縦固設板部２ａ１又は横固設板部２ａ２にビスによって固設すべきものである。
【００８４】
従ってこの実施例のガラス床ユニットによれば、それ自体の組立を簡単に行うことができ、かつ建物の床の一部への組み込みによる部分的なガラス床の構成を簡単に行うことができる。
【００８５】
前記支持枠３は、図１に示すように、四個の支分支持枠２、２…を四辺形の辺に沿って配すると共に隣接する相互を結合して簡単に構成することができる。相互の結合は、Ｌ形の接続部材６の各直線嵌合部６ａ、６ａを各隣接する支分支持枠２、２の連続接続空間２ｄに装入し、図１及び図２に示すように、前記固設手段２ａの横固設板部２ａ２の下面側からビス１０をねじ込んでその装入状態を固定することにより簡単に保持することができる。接続部材６の直線嵌合部６ａの連続接続空間２ｄへの装入は、云うまでもなく、その端部から行う。
【００８６】
通常、支分支持枠２、２…の接続は、以上の接続部材６によるそれで充分であるが、搬送中の損傷等を回避するために、更に補強を図っておくものとする。
前記し、かつ図１に示すように、隣接する各支分支持枠２、２に於いて、それらの縦固設板部２ａ１、２ａ１の各ポケット２ａ１ｐにＬ形の縦補強片１４の各連結片を挿入してこの部位で補強し、更にそれらの横固設板部２ａ２、２ａ２の各ポケット２ａ２ｐにＬ形の横補強片１５の各連結片を挿入してこの部位で補強することとする。云うまでもなく、縦補強片１４及び横補強片１５の各連結片はそれぞれビスによって挿入されたポケット２ａ１ｐ、２ａ２ｐを構成している縦固設板部２ａ１又は横固設板部２ａ２に固設する。
【００８７】
なお以上の支持枠３の組立に先立って、図１中左右に位置する相互に平行な二つの支分支持枠２、２の連続接続空間２ｄ中には、同図に示すように、それぞれ二個ずつ前記固定部材８をスライド自在に装入しておく。また支持枠３を構成する４個の支分支持枠２、２…には、同様に、予め各台座部２ｂ上に緩衝帯材４を配しておく。該緩衝帯材４は、その下面側に構成した結合突条４ｂを該台座部２ｂの結合溝２ｂ１に嵌合させることで該台座部２ｂ上に固設する。このとき、図１中左右に位置する二つの支分支持枠２、２の台座部２ｂには、各々この支持枠３内にセットする床ガラス１に固設した固定片７、７の位置に対応させて前記削除部４ｃ、４ｃを構成した緩衝帯材４、４をセットする。なおこの緩衝帯材４は、支持枠３を組み立ててから台座部２ｂ上にセットすることとしても良いことは云うまでもない。
【００８８】
支持枠３を上記のように構成した後、床ガラス１を該支持枠３中に設置する。該床ガラス１は、図１、図２及び図４に示すように、その四辺を各々対応する台座部２ｂ上に前記緩衝帯材４を介して載置することで、該支持枠３中に設置する。この設置に先立って、床ガラス１の固定片７、７と干渉し合わないように、予め左右の支分支持枠２、２の連続接続空間２ｄ中の固定部材８、８をスライドさせて該固定片７、７の設置位置からずらしておくものとする。これは、前記受動孔８ａ１、８ａ１に上方から操作棒を挿入し、該操作棒を用いて容易に行うことができる。
【００８９】
床ガラス１は、平行する２辺に固設した固定片７、７…の先端間の寸法が、支持枠３の平行な２辺の内側間の寸法を越えているので、水平状態を保持しながら四辺を同時に台座部２ｂ、２ｂ…上に載置することはできないが、次のように、特に煩わしい動作を必要とせず、簡単にその載置作業を行うことができる。
【００９０】
該床ガラス１は、まず一対の固定片７、７を配した一方の辺、例えば、この実施例では、右側の辺を斜め下方に向けて、その固定片７、７の先端を右側の辺の支分支持枠２の連続接続空間２ｄ中に挿入し、これによって左側の辺の固定片７、７を内側（右側）に後退させた上で、左辺を下降させ、該床ガラス１を水平状態とする。次いで、該床ガラス１を左側に若干横移動させれば、該床ガラス１の左右の辺はそれぞれ対応する支持枠３の左右の辺の台座部２ｂ上に前記緩衝帯材４を介して正しく載置した状態となる。
【００９１】
このとき、床ガラス１の各固定片７、７…は、図３(b)及び図４に示すように、緩衝帯材４、４の削除部４ｃ上に載った状態となり、該床ガラス１の該当する辺の下面が該緩衝帯材４の支持突条４ａ、４ａ…の上面に当接するのを妨げない。
【００９２】
この後、図１、図３(b)、(c)及び図４に示すように、各辺毎に前記一対の固定部材８、８を、前記のようにして所定の位置にスライド移動させ、その各スリット部８ｂ中に該床ガラス１から突出している固定片７、７を相対的に進入させる。こうして該床ガラス１は浮上しないように固定され、その状態は、以上の状態で、該スリット部８ｂの上部内面から下方に突出する固定突条８ｂ１に該固定片７の先端中央に形成した切欠部７ａが嵌合し合うことで保持されることになる。
【００９３】
この後、前記弾性目地材５を床ガラス１の四辺の端面と対応する支分支持枠２の直立支持部２ｃの上部内面２ｃ１との間に装入介在させる。こうしてこの実施例のガラス床ユニットの組み立ては完了である。
【００９４】
以上のように組み立てたこの実施例のガラス床ユニットは、木造、鉄骨造或いはＲＣ造の建築物の床に組み込んでその部分ガラス床を構成するのに使用することができる。以下には木造建築物の床に設置した例を示す。
【００９５】
まず建物の床構造中に該ガラス床ユニットの支持枠３の寸法に対応して根太９、９…を配して置き、固設手段２ａを利用して各支分支持枠２、２…を該根太９、９…に取り付ける。図２及び図４に示すように、各支分支持枠２、２…の固設手段２ａの縦固設板部２ａ１を該根太９の側面に当接させ、かつ横固設板部２ａ２を該根太９の上面に当接させた上で、それぞれ外側から木ビス１１、１１…をねじ込んでその当接状態を固定し、該支持枠３の四辺を根太９、９…に固定する。これだけで部分ガラス床は完成である。
【００９６】
なお図中、１２は床の他の部分の仕上げ材であるフローリング、１３は下地材である。
【００９７】
この実施例のガラス床ユニットは、以上のように、建物の床の一部に簡単に部分的なガラス床を構成することができる。
【００９８】
この実施例のガラス床ユニットによれば、前記固定部材８、８…のスリット部８ｂは、その下部内面が固定片７、７…の下降限界より下方に位置し、そのため床ガラス１に人が乗る等によって荷重がかかった場合にも下降した固定片７、７…は該下部内面に当接することはない。それ故、該固定片７、７…に無用の負荷がかからず、その床ガラス１との結合部の寿命を長く保持することができる。
【００９９】
また床ガラス１は、前記固定片７、７…が、その上昇方向には前記固定部材８、８…のスリット部８ｂの上部内面に係止するため、その動きは直ちに規制される。そのため該床ガラス１は、例えば、電気掃除機で吸引する等の日常的に生じうる外力によって支持枠３から外れて浮上するようなことはない。
【０１００】
またこの実施例のガラス床ユニットによれば、前記弾性目地材５を取り除いた上で、前記固定部材８、８…をスライド移動させれば、前記固定片７、７…が前者のスリット部８ｂから外れ、床ガラス１は容易に取り外すことができる。床ガラス１の支持枠３からの取り外し手順は、先に述べた設置の手順と逆の手順であり、これによって極めて簡単に取り外すことができる。
【０１０１】
従ってこのガラス床ユニット中の床ガラス１にヒビが入る等の何らかの損傷が生じた場合など、或いはこのガラス床ユニットの直下に照明手段を配した場合等に該床ガラス１を取り外してその照明手段の交換等を容易に行うことができる。
【図面の簡単な説明】
【０１０２】
【図１】実施例のガラス床ユニットの概略平面図。
【図２】実施例のガラス床ユニットを木造建築物の床の一部に組み込んだ状態の一部を示す拡大断面図。
【図３】(a)は実施例の支持枠中に配した床ガラスと固定片との位置関係を示した拡大平面説明図、(b)は固定片と緩衝帯材の削除部と固定部材との位置関係を示した拡大平面説明図、(c)は固定部材のスリット部とこれに挿入係止する固定片との位置関係を示す更に拡大した拡大正面説明図。
【図４】実施例のガラス床ユニットを木造建築物の床の一部に組み込んだ状態の図２とは別の一部を示す拡大断面図。
【図５】実施例の支分支持枠の一部を示す拡大斜視図。
【図６】(a)は接続部材の拡大平面図、(b)は更に拡大した接続部材の拡大端面図。
【図７】緩衝帯材の一部を示す拡大斜視図。
【図８】(a)は固定片の拡大平面図、(b)は拡大側面図。
【図９】(a)は固定部材の拡大平面図、(b)は拡大正面図、(c)は拡大側面図。
【図１０】弾性目地材の一部を示す拡大斜視図。
【図１１】(a)は正方形の支分床ガラスを直列に接続した床ガラスの例を示す平面説明図、(b)は正方形の支分床ガラスをＬ形に接続した床ガラスの例を示す平面説明図。
【図１２】中央の長方形の支分床ガラスと他の正方形の支分床ガラスとにより十字状に接続した床ガラスの例を示す平面説明図。
【図１３】台形の支分床ガラスを中央が膨らむように接続した床ガラスの例を示す平面説明図。
【図１４】両側が曲線状の支分床ガラスを直列に接続した床ガラスの例を示す平面説明図。
【符号の説明】
【０１０３】
１    床ガラス
１ａ  ガラス板
１ｂ  中間合わせ膜
２    支分支持枠
２ａ  固設手段
２ａ１  縦固設板部
２ａ１ｐ  ポケット
２ａ２  横固設板部
２ａ２ｐ  ポケット
２ｂ  台座部
２ｂ１  結合溝
２ｃ  直立支持部
２ｃ１  上部内面
２ｃ２  規制突条
２ｃ３  溝
２ｄ  連続接続空間
２ｄ１  外側板
２ｄ２  天板部
３    支持枠
４    緩衝帯材
４ａ  支持突条
４ｂ  結合突条
４ｃ  削除部
５    弾性目地材
５ａ  突条
５ｂ  鍔片
６    接続部材
６ａ  直線嵌合部
６ａ１、６ａ２  突条
７    固定片
７ａ  切欠部
８    固定部材
８ａ  基部
８ａ１  受動孔
８ｂ  スリット部
８ｂ１  固定突条
９    根太
１０  ビス
１１  木ビス
１２  仕上げ材
１３  下地材
１４  縦補強片
１５  横補強片
２１  支分床ガラス
２２  曲線状の支分支持枠
２２ｂ  台座部
２３  曲線を持った支持枠
３１  台形の支分床ガラス
４１  両側が曲線状の支分床ガラス
【図１】
2005299306.tif 000003
【図２】
2005299306.tif 000004
【図３】
2005299306.tif 000005
【図４】
2005299306.tif 000006
【図５】
2005299306.tif 000007
【図６】
2005299306.tif 000008
【図７】
2005299306.tif 000009
【図８】
2005299306.tif 000010
【図９】
2005299306.tif 000011
【図１０】
2005299306.tif 000012
【図１１】
2005299306.tif 000013
【図１２】
2005299306.tif 000014
【図１３】
2005299306.tif 000015
【図１４】
2005299306.tif 000016